(57)【要約】【課題】先端を頭皮に当接した状態で吐水孔と頭皮との距離を調節することができるとともに、こうした頭皮との距離を調節した状態で頭皮に沿って移動させることが可能な新規なシャワーヘッド用装着具又はシャワーヘッドを提供する。【解決手段】シャワーヘッド（本体２）に装着手段を介して装着される装着具本体５は、軟質樹脂を素材としてシャワーヘッド側に形成された第１の円筒部５ａと、第２の円筒部５ｃと、第１の円筒部５ａと第２の円筒部５ｃとの間に形成されてなる可撓性円筒部５ｂと、を備え、第２の円筒部５ｃの先端が使用者の頭皮Ｈに押圧されることにより、上記可撓性円筒部５ｂが撓んでシャワーヘッドの吐水孔６ａと頭皮Ｈとが接近するように構成されてなる。【選択図】  図９
2018191713.tif 000002
【特許請求の範囲】
【請求項１】
シャワーヘッドから吐水されるシャワーを囲む装着具本体と、この装着具本体に装着され又は該装着具本体に形成され上記シャワーヘッドに装着される装着手段と、を有してなり、
上記装着具本体は、軟質樹脂を素材としてなるとともに上記シャワーヘッド側に形成された第１の円筒部と、この第１の円筒部の内径よりも拡径されてなる第２の円筒部と、上記第１の円筒部の先端と上記第２の円筒部の基端との間に形成されてなる可撓性円筒部と、を備え、
上記第２の円筒部の先端が使用者の頭皮に押圧されることにより、上記可撓性円筒部が撓んでシャワーヘッドと頭皮とが接近するように構成されてなることを特徴とするシャワーヘッド用装着具。
【請求項２】
前記第１の円筒部と第２の円筒部とは、それぞれ基端側から先端側にかけて内径が徐々に拡径されてなるとともに、該第２の円筒部の基端側は、第１の円筒部の先端側の外径よりも太い内径寸法とされてなり、前記可撓性円筒部が撓むことにより、第２の円筒部の基端側は第１の円筒部の先端側の外側に位置するように構成されてなることを特徴とする請求項１記載のシャワーヘッド用装着具。
【請求項３】
前記可撓性円筒部は、基端から先端側にかけて徐々に拡径されてなるとともに、前記第１の円筒部の肉厚よりも薄肉とされてなることを特徴とする請求項１又は２記載の何れかのシャワーヘッド用装着具。
【請求項４】
前記第２の円筒部の先端には、それぞれの先端が使用者の頭皮に当接される複数の突起部が形成されてなるとともに、隣り合う突起部と突起部との間には湯水が外部に排出される湯水排出空間が形成されてなることを特徴とする請求項１，２又は３記載の何れかのシャワーヘッド用装着具。
【請求項５】
前記第１の円筒部には、前記可撓性円筒部が撓んでシャワーヘッドと頭皮とが接近された際に該頭皮に当接する複数の内側突起部が形成されてなることを特徴とする請求項１，２，３又は４記載の何れかのシャワーヘッド用装着具。
【請求項６】
前記請求項１，２，３，４又は５記載の何れかのシャワーヘッド用装着具が着脱可能に装着されてなることを特徴とするシャワーヘッド。
【発明の詳細な説明】
【技術分野】
【０００１】
本発明は、シャワーヘッド用装着具又はシャワーヘッドに関し、特に、使用者がシャワーにより洗髪する際に好適なシャワーヘッド用装着具又はシャワーヘッドに関するものである。
【背景技術】
【０００２】
シャワーは、汗を流したり、洗髪剤をすすいだりする用途は勿論、シャワーの水圧により頭皮をマッサージする（頭皮のマッサージ効果を得る）等を目的としてこれまで使用されている。そして、ホース等の導管に流れる湯水をシャワーとするシャワーヘッドとしては、これまで幾つかのものが提案されている。例えば、実用新案登録第３１８１７１２号公報（特許文献１）には、散水板に形成された散水孔を取り囲み散水方向に延在されたカップ部と、このカップ部の先端に略等間隔に配置された複数の突起とを備えてなるシャワーヘッドと、上記カップ部と突起を備えたシャワーヘッド用アタッチメントが開示されている。このシャワーヘッドによれば、上記突起を使用者の頭皮に当接させた状態で多数の散水孔から吐出された湯水は、上記カップ部内において一時的に貯水され頭髪を効果的にすすぐことができるとともに、上記複数の突起の先端を頭皮に当接させることによりマッサージ効果を得ることができる。
【０００３】
また、上記シャワーによる洗髪の際においてマッサージ効果を向上させることを目的としたものとしては、実用新案登録第３２０４９４５号公報（特許文献２）に開示された付着キャップユニットが提案されている。この付着キャップユニットは、シャワーヘッドの外側面を囲むヘッド固定部の下段に弾性力を有する軟性材質で形成され先端の縁部分が上記の噴射ホールが形成されたシャワーヘッドの一面より下側に長く形成され頭皮に密着される頭皮接触部と、ヘッド固定部に具備された排水管と、上記の排水管に連結されてシャワー器のヘッドの噴射ホールから排出された水を外部に案内するホースと、上記の噴射ホールが形成されたシャワー器のヘッドの一面に付着された弾性突起を備えてなるものである。この付着キャップユニットによれば、頭髪または頭皮に付着された異物を除去しながら同時に頭髪または頭皮をマッサージすることができるとされている。なお、以下では、上記特許文献１に開示されたシャワーヘッド用アタッチメントや特許文献２に開示された付着キャップユニットを、シャワーヘッド用装着具と言う。
【先行技術文献】
【特許文献】
【０００４】
【特許文献１】実用新案登録第３１８１７１２号公報
【特許文献２】実用新案登録第３２０４９４５号公報
【発明の概要】
【発明が解決しようとする課題】
【０００５】
しかしながら、先に説明したシャワーの水圧による頭皮のマッサージ効果は、シャワーとして吐水される吐水孔と頭皮との距離により変化するものであり、使用者は上記頭皮との距離を任意に調節しながら使用することを望むところ、上記特許文献１に開示されたシャワーヘッド用装着具では、使用者は使用中に上記頭皮との距離を調節することができない。また、上記特許文献２に開示されたシャワーヘッド用装着具では、ヘッド固定部が軟質素材で形成されているとしても、該ヘッド固定部の形状は円筒状とされていることから、上記頭皮との距離を調節することは極めて困難であるばかりか、該距離を短縮する（吐水孔と頭皮とを接近させる）と、上記複数の弾性突起が頭皮に当接することから、吐水孔と頭皮とを接近させる操作には大きな限界が生ずる。特に、この特許文献２に開示されたシャワーヘッド用装着具では、ヘッド固定部の先端面を頭皮に当接させながら、頭皮に沿って移動させながら、同時に上記距離を調節したり、上記頭皮と接近させた状態で頭皮に沿って移動させたりする操作は不可能に近い。
【０００６】
そこで、本発明は、上述したそれぞれの特許文献に開示されたシャワーヘッド用装着具やシャワーヘッド用装着具を備えたシャワーヘッドが有する課題を解決するために提案されたものであって、先端を頭皮に当接した状態で吐水孔と頭皮との距離を調節することができるとともに、こうした頭皮との距離を調節した状態で頭皮に沿って移動させることが可能な新規なシャワーヘッド用装着具又はシャワーヘッドを提供することを目的とするものである。
【課題を解決するための手段】
【０００７】
本発明は、上記課題を解決するために提案されたものであって、第１の発明（請求項１記載の発明）は、シャワーヘッド用装着具に係るものであって、シャワーヘッドから吐水されるシャワーを囲む装着具本体と、この装着具本体に装着され又は該装着具本体に形成され上記シャワーヘッドに装着される装着手段と、を有してなり、上記装着具本体は、軟質樹脂を素材としてなるとともに上記シャワーヘッド側に形成された第１の円筒部と、この第１の円筒部の内径よりも拡径されてなる第２の円筒部と、上記第１の円筒部の先端と上記第２の円筒部の基端との間に形成されてなる可撓性円筒部と、を備え、上記第２の円筒部の先端が使用者の頭皮に押圧されることにより、上記可撓性円筒部が撓んでシャワーヘッドと頭皮とが接近するように構成されてなることを特徴とするものである。
【０００８】
上記第１の発明に係るシャワーヘッド用装着具は、軟質樹脂を素材としてなるとともにシャワーヘッドから吐水されるシャワーを囲む装着具本体を備え、この装着具本体に装着され又は該装着具本体に形成され上記シャワーヘッドに装着される装着手段が構成要素とされている。したがって、この装着手段を介して上記装着具本体がシャワーヘッドに装着されると、該シャワーヘッド（に形成された多数の吐水孔）から吐水されたシャワーは、上記装着具本体の内側を通過して外部に放出される。なお、上記装着手段は、少なくとも上記装着具本体の基端側（このシャワーヘッド用装着具）をシャワーヘッドに装着できる機能を備えた構造であれば良く、必ずしもシャワーヘッドに一旦装着した後に取外し可能である機能まで備えたものであることを要しない。そして、この発明では、上記装着具本体は、軟質樹脂を素材としてなるとともに上記シャワーヘッド側に形成された第１の円筒部と、この第１の円筒部の内径よりも拡径されてなる第２の円筒部と、上記第１の円筒部の先端と上記第２の円筒部の基端との間に形成されてなる可撓性円筒部と、を備えている。なお、上記第１の円筒部や第２の円筒部は、それぞれ基端側から先端側にかけて内径が同一寸法に成形されてなるものは勿論、徐々に拡径されてなるもの（請求項３記載の発明参照）であっても良い。上記可撓性円筒部は、第２の円筒部の先端を使用者の頭皮に押圧することにより撓み、この結果シャワーヘッドに形成された多数の吐水孔が使用者の頭皮に接近する機能を有してなるものである。なお、上記可撓性円筒部は、上記第２の円筒部の先端が頭皮に押圧されることにより撓む性質を有する部位であれば良く、後述するように第１の円筒部の肉厚よりも薄肉とされているもの（請求項３記載の発明参照）ばかりではなく、円環状に山部と谷部とが交互に形成された蛇腹状に成形されてなるものであっても良い。また、上記装着具本体の素材は、軟質樹脂を素材としてなるものであり、この軟質樹脂としては、例えば、ＰＶＣ（塩化ビニール）を初め、ＴＰＯ（オレフィン系エラストマー）、ＳＢＣ（スチレン系エラストマー）、ＥＶＡ（エチレン・酢酸ビニル共重合体樹脂）等を使用することが可能である。
【０００９】
したがって、この第１の発明に係るシャワーヘッド用装着具がシャワーヘッドに装着された状態でシャワーを噴射させると、該シャワーは上記装着具本体を通過して該装着具本体の外部に放出される。したがって、シャワーヘッド用装着具が装着されたシャワーヘッドは通常のシャワーヘッドとして使用することができ、シャワーにより汗を流したりシャンプー等の洗髪剤をすすいだりすることができる。そして、使用者により、上記第２の円筒部の先端を頭皮に当接させて使用されると、シャワーによる湯水は上記装着具本体内に一時的に滞留することから、頭髪の奥の頭皮に対してまで確実に湯水が届き、頭皮や毛孔を効果的に洗浄することが可能となる。また、このシャワーヘッド用装着具によれば、上述したように、シャワーの湯水は上記装着具本体内に一時的に滞留するとともに、該湯水は装着具本体内において対流することから、頭皮が温まると同時に毛穴が開き、汚れを浮かせることができる。
【００１０】
特に、この発明に係るシャワーヘッド用装着具では、第２の円筒部の先端が比較的強く頭皮に押圧された場合には、上記可撓性円筒部が撓み、頭皮と上記吐水孔との距離は短縮され、上記シャワーの圧力（水力）が強く頭皮に当たり、一層頭皮に対するマッサージ効果を向上させることが可能となる。また、このように、頭皮と各吐水孔との距離が短縮された状態で、第２の円筒部の先端を頭皮に沿って移動させることにより、広範囲に亘ってマッサージ効果を得ることができる。
【００１１】
また、第２の発明（請求項２記載の発明）は、上記第１の発明において、前記第１の円筒部と第２の円筒部とは、それぞれ基端側から先端側にかけて内径が徐々に拡径されてなるとともに、該第２の円筒部の基端側は、第１の円筒部の先端側の外径よりも太い内径寸法とされてなり、前記可撓性円筒部が撓むことにより、第２の円筒部の基端側は第１の円筒部の先端側の外側に位置するように構成されてなることを特徴とするものである。
【００１２】
この第２の発明に係るシャワーヘッド用装着具は、第１の円筒部は基端側から先端側にかけて徐々に内径が拡径されており、間に前記可撓性円筒部を介して連続してなる第２の円筒部も基端側から先端側にかけて内径が徐々に拡径されている。したがって、上記装着具本体全体の形状は、基端側の内径が最も小さな内径とされ、先端側は最も大きな内径とされてなるものである。そしてさらに、本発明では、第２の円筒部の基端側は、第１の円筒部の先端側の外径よりも太い内径寸法とされてなり、前記可撓性円筒部が撓むことにより、第２の円筒部の基端側は第１の円筒部の先端側の外側に位置するように構成されている。こうした形状に成形されたシャワーヘッド用装着具によれば、上記装着具本体内に貯留される湯水は、使用者の頭皮に対して広範囲に接触することから、洗髪剤をすすぐことができる範囲も広範囲となる。特に、長い髪を有する女性がこのシャワーヘッド用装着具を使用した場合には、短時間で洗髪剤をすすぐことが可能となる。また、この発明では、前記可撓性円筒部が撓むことにより、第２の円筒部の基端側は第１の円筒部の先端側の外側に位置するように構成されてなることから、頭皮と各吐水孔との距離を比較的広範囲に調節することが可能となる。
【００１３】
また、第３の発明（請求項３記載の発明）は、上記第１又は第２の発明の何れかにおいて、前記可撓性円筒部は、基端から先端側にかけて徐々に拡径されてなるとともに、前記第１の円筒部の肉厚よりも薄肉とされてなることを特徴とするものである。
【００１４】
この第３の発明に係るシャワーヘッド用装着具では、前記可撓性円筒部は、基端から先端側にかけて徐々に拡径されてなるとともに、前記第１の円筒部の肉厚よりも薄肉とされてなることから、使用者は、頭皮と吐水孔との距離を僅かな力で調節することができるとともに、該装着具本体の洗浄も容易となりコンタミネーションの発生を有効に防止することができる。また、装着具本体を成形する金型も複雑にならず、該金型の抜き勾配も安定して確保することができる。
【００１５】
また、第４の発明（請求項４記載の発明）は、上記第１、第２又は第３の何れかの発明において、前記第２の円筒部の先端には、それぞれの先端が使用者の頭皮に当接される複数の突起部が形成されてなるとともに、隣り合う突起部と突起部との間には湯水が外部に排出される湯水排出空間が形成されてなることを特徴とするものである。
【００１６】
この第４の発明に係るシャワーヘッド用装着具では、第２の円筒部の先端には、それぞれの先端が使用者の頭皮に当接する複数の突起部が形成されている。これらの突起部は、上記装着具本体と同じ素材により一体成形されてなるものであっても良いし、該突起部と装着具本体とは別の素材からなるものであっても良い。すなわち、上記装着具本体全体（第１の円筒部と、可撓性円筒部と、第２の円筒部と、上記突起部）が、軟質樹脂により一体成形されているものであっても良い。また、この第４の発明に係るシャワーヘッド用装着具では、隣り合う突起部と突起部との間には、湯水が外部に排出される湯水排出空間が形成されている。上記それぞれの突起部の長さや、突起部と突起部との間に形成された湯水排出空間の幅（突起部と突起部との間隔）は、特に限定されるものではないが、各突起部の長さと湯水排出空間の幅が共に長い場合には、上記装着具本体内に湯水が滞留し、また該湯水が装着具本体内において対流しないおそれがある。もっとも、こうした湯水の滞留や対流は、シャワーヘッドから吐水されるシャワーの水量にも因るが、上記それぞれの突起部の長さや、突起部と突起部との間に形成された湯水排出空間の幅（突起部と突起部との間隔）は、少なくとも、シャワーの水量が最大とされた場合においては、装着具本体内に湯水が滞留し、また該湯水が装着具本体内において対流する程度の長さや幅とされていることが望ましい。
【００１７】
上記第４の発明に係るシャワーヘッド用装着具によれば、上記複数の突起部が形成されていることにより、該突起部の先端により頭皮をマッサージすることができるとともに、毛穴近くの汚れを確実に除去・洗浄することができ、使用者の指先で不用意に頭皮を傷つけてしまう危険性も有効に防止することができる。特に、上記それぞれの突起部を頭皮に当接させるとともに頭皮に沿って移動させる際、使用者による頭皮側への押圧力が不用意に（過度に）強く操作された場合であっても、そうした過度の押圧力は上記可撓性円筒部の撓みにより吸収され、常に同じ圧力で頭皮に沿って移動され、この結果、上記各突起部により頭皮を傷つけてしまう可能性を有効に防止することができる。
【００１８】
また、第５の発明（請求項４記載の発明）は、上記第１、第２、第３又は第４の発明の何れかにおいて、前記第１の円筒部には、前記可撓性円筒部が撓んでシャワーヘッドと頭皮とが接近された際に該頭皮に当接する複数の内側突起部が形成されてなることを特徴とするものである。
【００１９】
この第５の発明に係るシャワーヘッド用装着具では、第１の円筒部には、前記可撓性円筒部が撓んでシャワーヘッドと頭皮とが接近された際に該頭皮に当接する複数の内側突起部が形成されている。すなわち、使用者の操作により上記第２の筒状部の先端（又は、上記それぞれ突起部の先端）が、頭皮に対して所定の力で押圧されると、上記可撓性円筒部が撓み、頭皮とシャワーヘッドに形成された吐水孔との距離が接近すると、頭皮に対してシャワーの吐水力が強く作用するとともに、上記内側突起部の先端が頭皮に当接する。こうした状態において、頭皮に沿ってシャワーヘッドを移動させることにより、シャワーによる吐水力と内側突起部の先端との両方により（第４の発明を引用したものにあっては、更に上記突起部により）、頭皮をマッサージすることができるとともに、頭皮に付着した汚れを除去・洗浄することができる。
【００２０】
また、第６の発明（請求項６記載の発明）は、それぞれシャワーヘッドに係る発明であって、前記第１、第２、第３、第４又は第５の発明に係る何れかのシャワーヘッド用装着具が着脱可能に装着されてなることを特徴とするものである。
【発明の効果】
【００２１】
上記第１の発明（請求項１記載の発明）に係るシャワーヘッド用装着具及び第６の発明（請求項６記載の発明）に係るシャワーヘッドでは、第２の円筒部の先端が比較的強く頭皮に押圧された場合には、上記可撓性円筒部が撓み、頭皮と上記吐水孔との距離は短縮され、上記シャワーの圧力（水力）が強く頭皮に当たり、一層頭髪や頭皮の洗浄効果を高めることができるとともに、頭皮に対するマッサージ効果を向上させることが可能となる。また、このように、頭皮と各吐水孔との距離が短縮された状態で、第２の円筒部の先端を頭皮に沿って移動させることにより、広範囲に亘って頭皮に対するマッサージ効果を得ることができる。
【００２２】
また、第２の発明（請求項２記載の発明）に係るシャワーヘッド用装着具及び第６の発明（請求項６記載の発明）に係るシャワーヘッドによれば、装着具本体内に貯留される湯水は、使用者の頭皮に対して広範囲に接触することから、洗髪剤をすすぐことができる範囲も広範囲となる。特に、長い髪を有する女性がこのシャワーヘッド用装着具を装着したシャワーヘッドを使用した場合には、短時間で洗髪剤をすすぐことが可能となる。また、この発明では、前記可撓性円筒部が撓むことにより、第２の円筒部の基端側は第１の円筒部の先端側の外側に位置するように構成されてなることから、頭皮と各吐水孔との距離を比較的広範囲に調節することが可能となる。
【００２３】
また、第３の発明（請求項３記載の発明）に係るシャワーヘッド用装着具及び第６の発明（請求項６記載の発明）に係るシャワーヘッドでは、前記可撓性円筒部は、基端から先端側にかけて徐々に拡径されてなるとともに、前記第１の円筒部の肉厚よりも薄肉とされてなることから、使用者は、頭皮と吐水孔との距離を僅かな力で調節することができるとともに、該装着具本体の洗浄も容易となりコンタミネーションの発生を有効に防止することができる。また、装着具本体を成形する金型も複雑にならず、該金型の抜き勾配も安定して確保することができる。
【００２４】
また、第４の発明（請求項４記載の発明）に係るシャワーヘッド用装着具及び第６の発明（請求項６記載の発明）に係るシャワーヘッドによれば、上記複数の突起部が形成されていることにより、該突起部の先端により頭皮をマッサージすることができるとともに、毛穴近くの汚れを確実に除去・洗浄することができ、使用者の指先で不用意に頭皮を傷つけてしまう危険性も有効に防止することができる。特に、上記それぞれの突起部を頭皮に当接させるとともに頭皮に沿って移動させる際、使用者による頭皮側への押圧力が不用意に（過度に）強く操作された場合であっても、そうした過度の押圧力は上記可撓性円筒部の撓みにより吸収され、常に同じ圧力で頭皮に沿って移動され、この結果、上記各突起部により頭皮を傷つけてしまう可能性を有効に防止することができる。
【００２５】
また、第５の発明（請求項５記載の発明）に係るシャワーヘッド用装着具及び第６の発明（請求項６記載の発明）に係るシャワーヘッドでは、使用者の操作により上記第２の筒状部の先端（又は、上記それぞれ突起部の先端）が、頭皮に対して所定の力で押圧されると、上記可撓性円筒部が撓み、頭皮とシャワーヘッドに形成された吐水孔との距離が接近すると、頭皮に対してシャワーの吐水力が強く作用するとともに、上記内側突起部の先端が頭皮に当接することから、こうした状態において、頭皮に沿ってシャワーヘッドを移動させることにより、シャワーによる吐水力と内側突起部の先端との両方により（第４の発明を引用したものにあっては、更に上記突起部により）、頭皮をマッサージすることができるとともに、頭皮に付着した汚れを除去・洗浄することができる。
【図面の簡単な説明】
【００２６】
【図１】シャワーヘッドとシャワーヘッド用装着具を示す分解外観斜視図である。
【図２】シャワーヘッドを示す正面図である。
【図３】装着部材を示す正面図である。
【図４】シャワーヘッド用装着具を構成する装着具本体を示す正面図である。
【図５】シャワーヘッド用装着具を構成する装着具本体を示す背面図である。
【図６】シャワーヘッドにシャワーヘッド用装着具が装着された状態を示す端面図である。
【図７】図５に示す状態において、シャワーヘッドからシャワーヘッド用装着具を取り外す際に押圧操作される部位を矢印で示す端面図である。
【図８】シャワーヘッドの通常の使用状態を示す端面図である。
【図９】図８に示す状態からシャワーヘッド用装着具の先端を頭皮に押圧した状態を示す端面図である。
【図１０】図９に示す状態からさらにシャワーヘッド用装着具の先端を頭皮に押圧した状態を示す端面図である。
【発明を実施するための形態】
【００２７】
以下、本発明を実施するための最良の形態に係るシャワーヘッドについて、図面を参照しながら詳細に説明する。
【００２８】
この発明の実施の形態に係るシャワーヘッド１は、図１に示すように、シャワーヘッド本体２と、このシャワーヘッド本体２に装着されたシャワーヘッド用装着具（以下、装着具と言う。）３とから構成されており、また、該装着具３は、上記シャワーヘッド本体２に対して着脱可能に装着された装着部材４と、この装着部材４に着脱可能に装着された装着具本体５とから構成されている。なお、この装着具本体５は、本発明（請求項１記載のシャワーヘッド用装着具）である。
【００２９】
上記シャワーヘッド本体２は、内部に湯水が流通する図示しない空洞が形成されてなるものであり、基端に図示しないホースの先端が取り付けられる。また、このシャワーヘッド本体２の先端には、図２に示すように、湯水をシャワーとして吐水する多数の吐水孔６ａが形成された円盤状の吐水板６がネジ７により固定されている。なお、上記図示しないホースの基端は、湯水混合栓等の湯水供給源に固定されてなるものであり、該湯水供給源から送られた湯水は、上記ホースを通過して上記シャワーヘッド本体２内に流入するとともに、上記吐水板６に形成された吐水孔６ａからシャワーとなって吐水される。
【００３０】
そして、この実施の形態に係るシャワーヘッド本体２では、上記吐水板６が固定されたシャワーヘッド本体２の先端側外周には円筒部２ｂが形成され、この円筒部２ｂの先端には基端が該円筒部２ｂの外径よりも縮径され該基端から先端にかけて徐々に縮径されてなる縮径部２ｃが形成されている。そして、上記円筒部２ｂの正面は、上記縮径部２ｃの基端から外径方向に幅を有する円盤状の起立面２ｄとされている。また、図２に示すように、上記縮径部２ｃの外周面には、第１ないし第３の一方の位置決め部２ｅ，２ｆ，２ｇが該縮径部２ｃの周回り方向に所定間隔を隔てて形成されている。なお、本実施の形態に係る装着具１においては、図２に示すように、上記第１及び第２の一方の位置決め部２ｅ，２ｆは、上記縮径部２ｃの幅方向に亘って長さを有する凹部（凹条）であり、上記第３の一方の位置決め部２ｇは上記縮径部２ｃの幅方向に亘って長さを有する凸部（凸条）である。また、上記縮径部２ｃの先端であって上記吐水板６が固定されている部位の外周側には、該縮径部２ｃの先端よりも僅かに大径とされた一方の係合部２ｈが周回り方向に連続して形成されている。
【００３１】
また、上記装着部材４は、樹脂により略円筒状に成形されてなるものであって、後端には後面が上記シャワーヘッド本体２に形成された起立面２ｄに当接する当接面４ａ（図６又は図７参照）が形成されている。また、この装着部材４は、図１又は図３に示すように、第１ないし第６のスリット４ｂ・・・４ｇが該装着部材４の先端から後端側に向かって形成されており、上記第１のスリット４ｂと第２のスリット４ｃとの間は第１の係合板部４ｈとされ、該第２のスリット４ｃと第３のスリット４ｄとの間は第１の位置決め板部４ｉとされ、該第３のスリット４ｄと第４のスリット４ｅとの間は第２の係合板部４ｊとされ、該第４のスリット４ｅと第５のスリット４ｆとの間は第２の位置決め板部４ｋとされ、該第５のスリット４ｆと第６のスリット４ｇとの間は第３の係合板部４ｌとされ、該第６のスリット４ｇと上記第１のスリット４ｂとの間は第３の位置決め板部４ｍとされている。そして、上記第１の係合板部４ｈの内周面には、上記シャワーヘッド本体２に形成された一方の係合部２ｈに係合する第１の他方の係合部４ｒが形成され、上記第２の係合板部４ｊの内周面には、上記シャワーヘッド本体２に形成された一方の係合部２ｈに係合する第２の他方の係合部４ｐが形成され、上記第３の係合板部４ｌの内周面には、上記シャワーヘッド本体２に形成された一方の係合部２ｈに係合する第３の他方の係合部４ｑが形成されている。また、上記第１の位置決め板部４ｉには、上記シャワーヘッド本体２に形成された第２の一方の位置決め部（凹部）２ｆに挿入される第２の他方の位置決め部（逆Ｖ字状の凸部）４ｓが形成され、上記第２の位置決め板部４ｋの内周面には上記第３の一方の位置決め部２ｇが挿通される第３の位置決め部（凹条）４ｔが形成されている。
【００３２】
また、上記第３の位置決め板部４ｍの内周面には、上記第１の一方の位置決め部２ｅが挿入される第１の他方の位置決め部（逆Ｖ字状の凸部）４ｕが形成されている。また、上記第１の係合板部４ｈの先端には、該第１の係合板部４ｈの先端から外周側に延出された第１のフランジ部４ｖが形成され、上記第２の係合板部４ｊの先端には、該上記第２の係合板部４ｊの先端から外周側に延出された第２のフランジ部４ｗが形成され、上記第３の係合板部４ｌの先端には、該上記第３の係合板部４ｌの先端から外周側に延出された第３のフランジ部４ｘが形成されている。なお、上記第１ないし第３のフランジ部４ｖ，４ｗ，４ｘのそれぞれ背面は、後述する装着具本体５が係合する部位である。そして、上記第１のフランジ部４ｖの内周面は、後述するように、この装着部材４を上記シャワーヘッド本体２から取り外す際、使用者の指により外側に押圧される押圧面（符号は省略する。）とされている。また、上記装着部材４の後端外周には、後述する装着具本体５の後端面５ｄが当接する当接面４ｙが正面に形成された後端側フランジ部４ｚが形成されている。
【００３３】
したがって、上記装着部材４を、図１中シャワーヘッド本体２の先端側が内部に挿入されるように、また、上記シャワーヘッド本体２に形成された第１ないし第３の一方の位置決め部２ｅ，２ｆ，２ｇと、この装着部材４に形成された第１ないし第３の他方の位置決め部４ｕ，４ｓ，４ｔとが互いに対応するように、移動させると、該装着部材４の後端は、該シャワーヘッド本体２に形成された起立面２ｄに上記当接面４ａが当接するとともに、上記第１ないし第３の係合板部４ｈ，４ｊ，４ｌは、それぞれ僅かに外側に撓むとともに、該第１の係合板部４ｈに形成された第１の他方の係合部４ｒは、上記シャワーヘッド本体２に形成された一方の係合部２ｈに係合し、第２の係合板部４ｊに形成された第２の他方の係合部４ｐは、上記シャワーヘッド本体２に形成された一方の係合板部２ｈに係合し、第３の係合板部４ｌに形成された第３の他方の係合部４ｑは、上記シャワーヘッド本体２に形成された一方の係合部２ｈに係合する。なお、互いに係合する上記一方の係合部２ｈと第１ないし第３の他方の係合部４ｒ，４ｐ，４ｑとは、本発明を構成する装着手段である。
【００３４】
なお、このようにシャワーヘッド本体２に装着された装着部材４は、後述するように、上記第１の係合板部４ｈの先端側内周に形成された押圧面（符号は省略する。）が使用者の指により、外側（図７中矢印方向）に押圧操作されると、該第１の係合板部４ｈはその基端側を中心に僅かに撓み、この結果、上記一方の係合部２ｈと第３の他方の係合部４ｒとの係合状態が解除される。
【００３５】
次に、上記装着具本体５について説明する。この装着具本体５は、軟質樹脂により一体成形されてなるものであり、図６に示すように、上記装着部材４の外側に装着される部材であって、図１に示すように、上記装着部材４の外周に装着される第１の円筒部５ａと、この第１の円筒部５ａの先端に基端が連続してなるとともに該第１の円筒部５ａよりも内径が拡径されてなる可撓性円筒部５ｂと、この可撓性円筒部５ｂの先端に基端が連続してなるとともに該可撓性円筒部５ｂよりもさらに内径が拡径されてなる第２の円筒部５ｃと、を備えている。上記第１の円筒部５ａは、基端側（後端側）から先端側にかけて外径が徐々に拡径されている。なお、上記第１の円筒部５ａ（この装着具本体５）の後端面５ｄ（図５参照）は、上記装着部材４の後端側フランジ部４ｚに形成された当接面４ｙに当接する部位である。また、この装着具本体５を構成する第１の円筒部５ａの内周には、図４に示すように、内側フランジ面５ｅが形成され、この内側フランジ面５ｅには、図４に示すように、全部で３つ（第１ないし第３）の内側突起形成部５ｆ，５ｇ，５ｈが周回り方向に等間隔に形成され、これら第１ないし第３の内側突起形成部５ｆ，５ｇ，５ｈには、それぞれ３つの内側突起部５ｉ，５ｊ，５ｋがそれぞれ該装着具本体５の先端側に向いた状態で周回り方向に並んで形成されている。
【００３６】
なお、第１ないし第３の内側突起形成部５ｆ，５ｇ，５ｈの（周回り方向の）長さは、上記第１ないし第３の位置決め板部４ｉ，４ｋ，４ｍの（周回り方向の）長さと略同じ長さとされ、また、上記第１の内側突起形成部５ｆと第２の内側突起形成部５ｇとの隙間の長さ、該第２の内側突起形成部５ｇと第３の内側突起形成部５ｈとの隙間の長さ、第３の内側突起形成部５ｈと第１の内側突起形成部５ｆとの隙間の長さは、それぞれ上記第１ないし第３の係合板部４ｈ，４ｊ，４ｌの（周回り方向の）長さと略同じ長さとされている。そして、この装着具本体５を構成する上記第１の円筒部５ａの後端から先端側中途部までの内径は、上記装着部材４の外径よりもやや短い内径とされており、該装着具本体５の後端面５ｄから上記内側フランジ面５ｅまでの長さは、上記装着部材４を構成する後端側フランジ部４ｚの正面に形成された当接面４ｙから上記第１ないし第３のフランジ部４ｖ，４ｗ，４ｘのそれぞれ背面までの長さと同じ長さとされ、該装着具本体５は、上記第１の円筒部５ａ内の上記後端面５ｄから上記内側フランジ面５ｅまでの部位において、該装着部材４を構成する後端側フランジ部４ｚの正面に形成された当接面４ｙまでの部位に外嵌挿されている。
【００３７】
また、図６及び図７に示すように、上記第１の円筒部５ａに連続して形成された上記可撓性円筒部５ｂは、基端側から先端側にかけて徐々に拡径されてなるとともに、上記第１の円筒部５ａの肉厚及び第２の円筒部５ｃの肉厚よりも薄肉とされている。そして、上記第２の円筒部５ｃは、上記可撓性円筒部５ｂよりもさらに拡径されてなり、また、該第２の円筒部５ｃの基端側は、第１の円筒部５ａの先端側の外径よりも太い内径寸法とされてなり、後述するように、前記可撓性円筒部５ｂが撓むことにより、該第２の円筒部５ｃの基端側は第１の円筒部５ａの先端側の外側に位置する（図１０参照）ように構成されている。また、この第２の円筒部５ｃの先端面には、図１、図４、図６、図７にそれぞれ示すように、それぞれの先端が使用者の頭皮に当接される複数の突起部５ｍが形成されている。なお、これらの各突起部５ｍ同士の間隔はそれぞれ同じ間隔とされ、隣り合う突起部５ｍの間は湯水が流れ出る湯水排出空間とされている。
【００３８】
したがって、上述のように構成された装着具本体５が上記装着部材４を介してシャワーヘッド本体２に装着されたシャワーヘッド１によれば、図８に示すように、使用者の頭皮Ｈから離間して使用することにより、通常のシャワーヘッド１として使用することができるとともに、上記装着具本体５の先端に形成された複数の突起部５ｍを頭髪又は頭皮Ｈに当接するように押圧することにより、図９に示すように、該装着具本体５を構成する可撓性円筒部５ｂが撓ませられ、この結果、上記吐水板６から頭皮Ｈまでの距離を短くすることができる。こうした使用者による操作により、シャワーＳとして吐水された湯水は、頭髪や頭皮Ｈに対して強く放射させることができ、頭髪の根元まで湯水を供給することができるとともに、また上記突起部５ｍの先端により頭皮Ｈを刺激することもでき、これによって頭髪や頭皮Ｈの洗浄効果やマッサージ効果を著しく高くすることができる。また、このように、装着具本体５の先端を頭皮Ｈに押圧することにより、該装着具本体５内に所定量の湯水を一時的に滞留させることができるとともに、該湯水は装着具本体５内において対流することから、頭皮が温まると同時に毛穴が開き、汚れを浮かせることができ、この結果、洗髪の際に使用された洗髪剤などを効果的にすすぐことができる。
【００３９】
そして、上記装着具本体５の先端に形成された複数の突起部５ｍを頭皮Ｈに対して更に強く押圧操作することにより、上記可撓性円筒部５ｂは更に撓ませられ、図１０に示すように、上記吐水板６から頭皮Ｈまでの距離を短くすることができ、より一層シャワーＳを強く頭皮に放射させることができ、また、上記複数の突起部５ｍの先端を頭皮に強く押圧させることができ、これらにより頭髪の洗浄や効果マッサージ効果を一層高めることができる。特に、図１０に示す状態まで可撓性円筒部５ｂを撓ませることにより、上記（全部で９つの）内側突起部５ｉ，５ｊ，５ｋの先端が頭皮Ｈに押圧されることから、より一層高いマッサージ効果を得ることができる。また、このシャワーヘッド１では、図９又は図１０に示すように、上記それぞれの突起部５ｍを頭皮Ｈに当接させたままの状態で、頭皮Ｈに沿って移動させることも可能であり、このように頭皮Ｈに沿って移動させることにより、頭皮Ｈ全体や頭髪全体の洗浄効果やマッサージ効果を得ることができる。すなわち、この実施の形態に係るシャワーヘッド１によれば、通常の使用態様によってシャワーＳを浴びることができるとともに、頭髪や頭皮Ｈに対する装着部本体５の先端の押圧力を適宜変化させることにより、上記吐水板６から頭皮Ｈまでの距離を適宜調節することができるとともに、使用者が望む任意の洗浄効果やマッサージ効果を得ることができる。
【００４０】
なお、上記実施の形態に係るシャワーヘッド１では、上述した構成に係る装着部材４を介してシャワーヘッド本体２に対して装着具本体５を装着する構成を示して説明したが、本発明に係るシャワーヘッドは、上記構成に係る装着部材４を使用することなく、装着具本体５をシャワーヘッド本体２に装着されてなるものであっても良い。例えば、図示しないベルトを用いて、装着具本体５がシャワーヘッド本体２の先端側に装着されてなるものであっても良いし、或いは、装着具本体５に図示しない一方の磁石を固定し、上記シャワーヘッド本体２に上記一方の磁石に磁着される他方の磁石を固定し、これら一方の磁石と他方の磁石とが互いに磁着されることにより、該装着具本体５がシャワーヘッド本体２に装着される構造を採用しても良い。
【符号の説明】
【００４１】
１  シャワーヘッド
２  シャワーヘッド本体
３  シャワーヘッド用装着具
４  装着部材
５  装着具本体
５ａ  第１の円筒部
５ｂ  可撓性円筒部
５ｃ  第２の円筒部
５ｉ，５ｊ，５ｋ  内側突起部
５ｍ  突起部
６ａ  吐水孔
Ｓ  シャワー
Ｈ  頭皮
【図１】
2018191713.tif 000003
【図２】
2018191713.tif 000004
【図３】
2018191713.tif 000005
【図４】
2018191713.tif 000006
【図５】
2018191713.tif 000007
【図６】
2018191713.tif 000008
【図７】
2018191713.tif 000009
【図８】
2018191713.tif 000010
【図９】
2018191713.tif 000011
【図１０】
2018191713.tif 000012